(57)【要約】      （修正有）【課題】例えば、様々な彫刻物を作成する際、特に鎌倉彫などを作るにあたって彫刻刀を使用する際に好適に利用可能な彫刻刀用の指保護具を提供する。【解決手段】彫刻刀５００を使用する際に用いる指保護具１であって、彫刻刀の刃の背の部分５１１に押し付ける親指１０に被せるゴムでできた第１の指サックと、第１の指サックの外側に被せるゴムでできた第２の指サックと、第１の指サックと第２の指サックとの間に挟まれ、指サックの使用者が装着して刀の背を押した状態で親指の指腹から爪まで延在する細長で所定厚さの親指保護用緩衝樹脂シートを備えた親指用指サック１００であり、装着者が親指用指サックを親指に装着した状態で、親指保護用緩衝樹脂シートの中心軸線が、指サック装着状態で装着者の親指の幅方向略中央部分に沿って延在するように構成されている。【選択図】図１
0003220726.tif 000002
【実用新案登録請求の範囲】
【請求項１】
彫刻刀を使用する際に用いる指保護具であって、
前記彫刻刀の刃の背の部分に押し付ける親指に被せるゴムでできた第１の指サックと、
前記第１の指サックの外側に被せるゴムでできた第２の指サックと、
前記第１の指サックと第２の指サックとの間に挟まれ、前記指サックの使用者が装着して刀の背を押した状態で親指の指腹から爪まで延在する細長で所定厚さの親指保護用緩衝樹脂シートを備えた親指用指サックであり、
装着者が前記親指用指サックを親指に装着した状態で、前記親指保護用緩衝樹脂シートの中心軸線が、前記指サック装着状態で装着者の親指の幅方向略中央部分に沿って延在するように構成されたことを特徴とする彫刻刀用の指保護具。
【請求項２】
ゴムでできて一定幅を有し装着状態で中指に直接接しながら巻かれる第１のリング状輪っか部と、
ゴムでできて一定幅を有し第１のリング状輪っか部の外側に巻かれる第２のリング状輪っか部と、第１のリング状輪っか部と第２のリング状輪っか部との間に挟まれ、一定幅を有する細長で所定厚さの中指保護用緩衝樹脂シートを備えた中指用指保護具であって、
装着者が前記中指用指保護具を中指に装着して彫刻刀の柄を握った状態で、前記第１及び第２のリング状輪っか部とこれに挟まる中指保護用緩衝樹脂シートが中指と彫刻刀の柄の間に位置するように構成されたことを特徴とする中指用リング状指サックを更に有した請求項１に記載の彫刻刀用の指保護具。
【考案の詳細な説明】
【技術分野】
【０００１】
本考案は、例えば、様々な彫刻物を作成する際、特に鎌倉彫などを作るにあたって彫刻刀を使用する際に好適に利用可能な彫刻刀用の指保護具に関するものである。
【背景技術】
【０００２】
彫刻刀を使用する際に、版画や木彫仏像、鎌倉彫などの彫り物を作成する際に、通常彫刻刀を用いる。この中で、例えば鎌倉彫に関しては、その完成した後の実用品としての価値や芸術性から多数の人が習い始めて楽しんでいる。
【０００３】
特に近年の高齢化社会においては、手軽な趣味として高齢者の間で人気を集めている。ここで、鎌倉彫に必要な彫刻刀の保護具に関しては、例えば特許文献１や特許文献２のようなものが知られている。
【先行技術文献】
【特許文献】
【０００４】
【特許文献１】特許第６３７８４１０号公報
【特許文献２】特開２００９−０２９１０７号公報
【考案の概要】
【考案が解決しようとする課題】
【０００５】
上述した特許文献１及び特許文献２に開示された彫刻刀の保護具は、あくまで彫刻刀の刃先に被せて彫刻刀の刃自体を保護するものに過ぎない。一方、例えば彫刻刀を用いて鎌倉彫を行う場合、右利きの人であれば右手の親指や人差し指、特に中指の第一関節の側方の部分でしっかりと彫刻刀の柄を押えながら左手の親指の指腹の部分で彫刻刀の細い刀背の部分を押して削り込んでいく。
【０００６】
このような作業を続けていると、左手の親指の部分に彫刻刀で木を彫る時の反力が直接かかり、長時間この作業を行なうと苦痛を伴ってしまう。また、彫刻刀によって木を彫る際に右手の中指の第一関節の側方部分にも彫刻刀の柄から力がかかるので、鉛筆によるペンだこができるようにこの部分にもかなりの力がかかって彫刻作業をしばらく続けていると痛みが伴ってくる。
【０００７】
このようにある程度の時間をかけ彫刻刀を使って掘っただけでも指先が痛くなってしまい、その後しばらく痛みが引くまで休むとなると、どうしても間隔をあけながら彫刻刀を使う作業を行なうようになってしまう。そのため、せっかく覚えた掘り方のコツや技量を十分に体得し続けることができず、指の痛みが治まった後に再度行うとコツや技量を再び取り戻すことに時間を要してしまう。その結果、作品の仕上がりが遅くなってしまう。
【０００８】
これと相まって、次に彫刻刀を使う場合においても、前回使った指先の痛みをどうしても思い出してしまう。このようにして、せっかく最初に綺麗な鎌倉彫を彫刻刀で造ろうと決めたモチベーションが、続けていくうちにどうしても下がってしまう。
【０００９】
特に高齢者で指先に力が入りにくかったり指先の器用さが多少失われたりした人たちにとってはこのような問題から受ける影響はかなり大きく、せっかくの手軽で気分転換になる趣味を楽しみ続けることができなくなってしまう。
【００１０】
本考案の目的は、例えば、様々な彫刻物を作成する際、特に鎌倉彫などを作るにあたって彫刻刀を使用する際に好適に利用可能な彫刻刀用の指保護具を提供することにある。
【課題を解決するための手段】
【００１１】
上記目的を達成するために本考案の請求項１に係る彫刻刀用の指保護具は、
彫刻刀を使用する際に用いる指保護具であって、
前記彫刻刀の刃の背の部分に押し付ける親指に被せるゴムでできた第１の指サックと、
前記第１の指サックの外側に被せるゴムでできた第２の指サックと、
前記第１の指サックと第２の指サックとの間に挟まれ、前記指サックの使用者が装着して刀の背を押した状態で親指の指腹から爪まで延在する細長で所定厚さの親指保護用緩衝樹脂シートを備えた親指用指サックであり、
装着者が前記親指用指サックを親指に装着した状態で、前記親指保護用緩衝樹脂シートの中心軸線が、前記指サック装着状態で装着者の親指の幅方向略中央部分に沿って延在するように構成されたことを特徴としている。
【００１２】
また、本発明の請求項２に係る彫刻刀用の指保護具は、請求項１に記載の彫刻刀の指保護具において、
ゴムでできて一定幅を有し装着状態で中指に直接接しながら巻かれる第１のリング状輪っか部と、
ゴムでできて一定幅を有し第１のリング状輪っか部の外側に巻かれる第２のリング状輪っか部と、第１のリング状輪っか部と第２のリング状輪っか部との間に挟まれ、一定幅を有する細長で所定厚さの中指保護用緩衝樹脂シートを備えた中指用指保護具であって、
装着者が前記中指用指保護具を中指に装着して彫刻刀の柄を握った状態で、前記第１及び第２のリング状輪っか部とこれに挟まる中指保護用緩衝樹脂シートが中指と彫刻刀の柄の間に位置するように構成されたことを特徴とする中指用リング状指サックを更に有したことを特徴としている。
【考案の効果】
【００１３】
本考案によると、例えば、様々な彫刻物を作成する際、特に鎌倉彫などを作るにあたって彫刻刀を使用する際に好適に利用可能な彫刻刀用の指保護具を提供できる。
【図面の簡単な説明】
【００１４】
【図１】本考案に係る彫刻刀の指保護具に関する親指用指サックと中指用リング状指サックをそれぞれ親指と中指に装着して彫刻刀を握る状態を示す斜視図である。
【図２】図１に示した親指用指サックを示す斜視図である。
【図３】図１に示した親指用指サックの側面図である。
【図４】図３に示した親指用指サックをこの指サックの幅方向中程に沿って切断した断面図である。
【図５】図１に示した親指用指サックをこの指サックの装着状態で親指の指腹に接触する方向から示す図である。
【図６】図１に示した親指用指サックをこの指サックの装着状態で親指の爪に接触する方向から示す図である。
【図７】図１に示した親指用指サックをこの指サックの装着状態で親指の爪先方向から示す図である。
【図８】図１に示した中指用リング状指サックを示す斜視図である。
【図９】図８に示した中指用リング状指サックをこの指サックを付けて彫刻刀握った状態で中指に接する方向から示す平面図である。
【図１０】図９示した中指用リング状指サックをこの指サックの幅方向中程に沿って切断した断面図である。
【図１１】図２に示した親指用指サックの変形例を示す側面図である。
【図１２】図１１に示した親指用指サックをこの指サックの幅方向中程に沿って切断した断面図である。
【考案を実施するための形態】
【００１５】
以下、本考案に係る彫刻刀用の指保護具の一実施形態について説明する。本考案に係る彫刻刀用の指保護具の一実施形態（以下、適宜単に「指保護具」とする）は、例えば、様々な彫刻物を作成する際、特に鎌倉彫などを作るにあたって彫刻刀を使用する際に好適に利用可能な彫刻刀用の指保護具に関するものである。
【００１６】
なお、本実施形態においては、右手を利き手として彫刻刀の柄を右手で握り、左手の親指の指腹の部分（親指の爪と反対側で指紋の付いている部分）を彫刻刀の刃本体部の背の部分に押し付けながら例えば鎌倉彫等の原材料の木を掘り込んでいくときに使用する形態を前提として説明している。
【００１７】
しかしながら、本考案は、左手を利き手として彫刻刀の柄を左手で握り右手の親指の指腹の部分（親指の爪と反対側で指紋の付いている部分）を彫刻刀の刃本体部の背の部分に押し付けながら原材料の木を掘り込んでいくときに使用する形態についても、適用可能なことは言うまでもないことを付言しておく。
【００１８】
図１は、本考案に係る彫刻刀の指保護具１に関する親指用指サック１００と中指用リング状指サック２００をそれぞれ親指１０と中指２０に装着して彫刻刀５００を握る状態を示す斜視図である。図１は、上述したように右手を利き手として彫刻刀５００の柄を右手で握り、左手の親指１０の指腹１１の部分（親指１０の爪１２と反対側で指紋の付いている部分）を彫刻刀５００の刃本体部５１０の背の部分５１１に押し付けながら例えば鎌倉彫等の原材料の木を掘り込んでいくときに使用する形態を示している。
【００１９】
なお、上述した左手を利き手として彫刻刀５００の柄５５０を左手で握り右手の親指１０の指腹１１の部分（親指１０の爪１２と反対側で指紋の付いている部分）を彫刻刀５００の刃本体部５１０の背の部分５１１に押し付けながら原材料の木（図示せず）を掘り込んでいくときに使用する形態については図示を省略し、以下の説明文において右手を左手、左手を右手として置き換えて考えることで、このような形態であっても本考案の範囲内に含まれることを代替え的に説明するようになっている。
【００２０】
続いて、本考案の一実施形態に係る彫刻刀用の指保護具１の主要な構成である親指用指サック１００について図面に基づいて詳細に説明する。なお、各図面に示す本考案の各構成要件の寸法は、考案の理解の容易化を図るため説明の都合上実際の寸法とあえて異なるように示している。また、例えば第１及び第２の指サックとこれに挟まれる親指保護用緩衝樹脂シートとの間には図面上隙間が存在しているが、実際はそれぞれが密着している。
【００２１】
図２は、図１に示した親指用指サック１００を示す斜視図である。また、図３は、図１に示した親指用指サック１００の側面図である。また、図４は、図３に示した親指用指サック１００をこの指サックの幅方向中程に沿って切断した断面図である。また、図５は、図１に示した親指用指サック１００をこの指サックの装着状態で親指１０の指腹１１に接触する方向から示す図である。また、図６は、図１に示した親指用指サック１００をこの指サックの装着状態で親指１０の爪１２に接触する方向から示す図である。また、図７は、図１に示した親指用指サック１００をこの指サックの装着状態で親指１０の爪先方向から示す図である。
【００２２】
親指用指サック１００は、彫刻刀５００の刃本体部５１０の背の部分５１１に押し付ける親指１０に被せるゴムでできた第１の指サック１１０と、第１の指サック１１０の外側に被せるゴムでできた第２の指サック１２０と、第１の指サック１１０と第２の指サック１２０との間に挟まれ、親指用指サック１００の使用者が装着して刃本体部５１０の背の部分５１１を押した状態で親指１０の指腹１１から爪１２まで延在する細長で所定厚さの親指保護用緩衝樹脂シート１３０を備えている。
【００２３】
そして、親指保護用緩衝樹脂シート１３０は、装着者が親指用指サック１００を親指１０に装着した状態で、親指保護用緩衝樹脂シート１３０の中心軸線が、指サック装着状態で装着者の親指１０の幅方向略中央部分に沿って延在するように構成されている。また、親指保護用緩衝樹脂シート１３０は、表面全体が粘着性を有しており、第１の指サック１１０と第２の指サック１２０によって挟まれるだけで所定位置にしっかりと固定配置されている。
【００２４】
より具体的には、親指保護用緩衝樹脂シート１３０は、図３乃至図６に示すように、親指用指サック１００を親指に装着した状態で親指の指腹側については指の第一関節に向けてこの指腹の大部分を被うように指の根元に向けて延在する一方、親指の爪側においては爪の先端部及びその近傍を被うように延在している。
【００２５】
また、親指保護用緩衝樹脂シート１３０は、装着者が親指用指サック１００を親指に装着した状態で、親指保護用緩衝樹脂シート１３０の中心軸線が、指サック装着状態で装着者の親指の幅方向略中央部分に沿って延在するようになっている。
【００２６】
これによって、装着者は、親指用指サック１００を親指にはめて親指保護用緩衝樹脂シート１３０の爪側の部分を見ながら、親指保護用緩衝樹脂シート１３０の中心軸線が親指の爪の中央部分に位置するようにすることで、その反対側の親指保護用緩衝樹脂シート１３０の部分の中心軸線が自然と親指の指腹の幅方向中央部に一致するようになる。
【００２７】
これにより、親指用指サック１００を親指に装着する際に親指の爪の部分を確認するだけで、彫刻刀の背を親指で押したときに親指の指輪で均等な力を彫刻刀の背に加えることができ、使い勝手が非常に良くなっている。
【００２８】
第１の指サック１１０の長手方向の長さは、第２の指サック１２０の長手方向の長さよりも若干長くなっており、第２の指サック１２０の親指挿入用開口部の親指挿入用開口部１２１の開口縁１２２から第１の指サック１１０の端部及びその近傍部分が延出して、この延出部をその材料としてのゴムの弾性力を利用して第１の指サック１１０の親指挿入用開口部１２１の上側全周に亘って折り返されて、折り返し部１１３を形成している。
【００２９】
そして、この第１の指サック１１０の折り返し部１１３とこれが重なる第２の指サック１２０の開口部近傍との間は接着剤によってしっかりと密着して一体化した開口縁部１０２を形成している。
【００３０】
また、親指保護用緩衝樹脂シート１３０は、表面全体が粘着性を有しており、第１の指サック１１０と第２の指サック１２０によって挟まれるだけで所定位置にしっかりと固定配置されている。なお、必要に応じてこれら第１の指サック１１０と第２の指サック１２０と親指保護用緩衝樹脂シート１３０との間の接触部分に接着剤を用いて互いにしっかりと密着して一体化するようにしても良い。
【００３１】
第１の指サック１１０と第２の指サック１２０に使用されるは天然ゴムを使用しており、本実施形態においてはハナキゴム株式会社製の指サックを利用している。また、第１の指サック１１０と第２の指サック１２０に挟まれる親指保護用緩衝樹脂シート１３０は、本実施形態においてはイソブチレン樹脂を用いており、実際には龍田化学株式会社製のマットマンセブンプラス（商品名）というシートを上述した記載で特定される適当な大きさに裁断して使用している。
【００３２】
続いて、上述の実施形態において説明した親指用指サック１００と合わせて使用する中指用リング状指サック２００について説明する。なお、本考案による作用は主に親指用指サック１００を使用することで得られるので、本考案を実施する際に中指用リング状指サック２００を必ずしも使用すること必須要件とはしない。しかしながら、図１に示すように、親指用指サック１００に加えて中指用リング状指サック２００を装着して彫刻刀５００で彫物の原料となる木材を削ることで、両方の指に負担をかけることなく、長時間に亘って苦痛を感じずに彫刻刀５００を使用し続けることができるメリットを有している。
【００３３】
続いて、上述した中指用リング状指サック２００の具体的構成について図面に基づいて説明する。図８は、図１に示した中指用リング状指サック２００を示す斜視図である。また、図９は、図８に示した中指用リング状指サック２００をこの指サックを付けて彫刻刀５００を握った状態で中指に接する方向から示す平面図である。また、図１０は、図９示した中指用リング状指サック２００をこの指サックの幅方向中程に沿って切断した断面図である。
【００３４】
中指用リング状指サック２００は、ゴムでできて一定幅を有し装着状態で中指２０に直接接しながら巻かれる第１のリング状輪っか部２１０と、ゴムでできて一定幅を有し第１のリング状輪っか部２１０の外側に巻かれる第２のリング状輪っか部２２０と、第１のリング状輪っか部２１０と第２のリング状輪っか部２２０との間に挟まれ、一定幅を有する細長で所定厚さの中指保護用緩衝樹脂シート２３０を備えている。
【００３５】
中指保護用緩衝樹脂シート２３０は、装着者が中指用リング状指サック２００を中指２０に装着して彫刻刀５００の柄５５０を握った状態で、第１及び第２のリング状輪っか部２２０とこれに挟まる中指保護用緩衝樹脂シート２３０が中指２０と彫刻刀５００の柄５５０の間に位置するように構成されている。
【００３６】
本実施形態においては、第１のリング状輪っか部２１０と第２のリング状輪っか部２２０とがこれらのリング状輪っか部の幅を合わせた幅広のリング状輪っか部を、材料はゴムでできた弾力性を利用して幅方向に全周に亘って二重若しくはそれ以上に重ね合わせ、この重ね合わせた部分の間の所定位置に中指保護用緩衝用樹脂シートを挟んでから、その幅方向端部を全周に亘って接着剤で密着させることで一体化させている。
【００３７】
また、中指保護用緩衝樹脂シート２３０は、親指保護用緩衝樹脂シート１３０と同様に表面全体が粘着性を有しており、第１のリング状輪っか部２１０と第２のリング状輪っか部２２０によって挟まれるだけで所定位置にしっかりと固定配置されている。なお、必要に応じてこれら第１のリング状輪っか部２１０と第２のリング状輪っか部２２０と中指保護用緩衝樹脂シート２３０との間の接触部分に接着剤を用いて互いにしっかりと密着させて一体化するようにしても良い。
【００３８】
なお、このような構成を取らずに第１のリング状輪っか部２１０と第２のリング状輪っか部２２０をそれぞれ別体として用意し、これら両者のリング状輪っか部の重ね合わされる所定位置に中指保護用緩衝樹脂シート２３０を挟みこんで、双方のリング状輪っか部の幅方向両端縁部全周を接着剤で密着させて一体化するようにしても良い。
【００３９】
ゴムでできた第１のリング状輪っか部２１０と第２のリング状輪っか部２２０は、親指用指サック１００の第１の指サック１１０及び第２の指サック１２０と同様に、天然ゴムを使用しており、本実施形態においてはハナキゴム株式会社製の指サックを利用している。また、中の親指保護用緩衝樹脂シート１３０は、イソブチレン樹脂を用いており、実際に使用したものは、親指保護用緩衝樹脂シート１３０と同様に、龍田化学株式会社製のマットマンセブンプラス（商品名）というシートを適当な大きさに裁断して使用している。
【００４０】
以上説明したような親指用指サック１００を左手の親指１０に装着し中指用リング状指サック２００を右手の中指２０に装着して図１に示すような状態で彫刻刀５００を握って例えば鎌倉彫等の彫刻物を作成する際の作用について以下に説明する。なお、以下の作用については、上述したように装着者が左利きで親指用指サック１００を右手の親指に装着し中指用リング状指サック２００を左手の中指２０に装着して彫刻刀５００を握って彫刻物を作成する際についても当然に生じるものである。
【００４１】
この作用は、上述した従来問題点となっていた課題を全て解決することにある。具体的には、本考案に係る彫刻刀用の指保護具１を用いないで例えば鎌倉彫等の彫刻作業を行う場合、右利きの人であれば右手の親指や人差し指、特に中指２０の第一関節の側方の部分でしっかりと彫刻刀５００の柄５５０を押えながら左手の親指１０の指腹１１の部分で彫刻刀５００の刃本体部５１０の細い背の部分５１１を押して削り込んでいく。以下、彫刻作業を行う者が右利きの場合について説明する。
【００４２】
以上のような作業を続けていると、左手の親指１０の部分に彫刻刀５００で木を彫る時の反力が直接かかり、長時間この作業を行なうと苦痛を伴ってしまうが、本考案のように親指１０に親指用指サック１００を装着して左手の親指１０の指腹１１の部分であって彫刻刀５００の刃本体部５１０の細い背の部分５１１を押して削り込んでいくことで、このような苦痛をさほど感じることなく、長時間彫刻作業を続けることができる。
【００４３】
これは、親指用指サック１００を装着しないで、親指１０の指腹１１を刃本体部５１０の背の部分５１１に直接押し付けると、親指１０の骨の一部に彫刻刀５００の刃本体部５１０の背から受ける反力が直に作用することで、この部分の骨と指腹１１の皮膚との間に挟まれる肉が局所的に過大に圧縮され、特に指先に集中する痛みを感じる神経を刺激して、指先の痛みや麻痺を引き起こすためである。
【００４４】
しかしながら、本考案による親指用指サック１００の第１及び第２の指サック１１０，１２０は例えば天然ゴム等のゴムでできており、親指保護用緩衝樹脂シート１３０は例えばイソブチレン樹脂などの材料でできた柔らかい樹脂シートを用いているので、刃本体部５１０の背の部分５１１から受ける反力は、親指保護用緩衝樹脂シート１３０を弾性変形させると共に、この弾性変形に伴ってこれを挟む第１及び第２の指サック１１０，１２０の伸び変形を引き起こすことで、親指１０の指腹１１全体に拡散するこれらの変形力としてほとんど吸収されるためである。これによって、刃本体部５１０の背の部分５１１から受ける反力が親指１０の指先に局所的に作用するのを防止している。
【００４５】
また、装着者が親指用指サック１００を親指１０に装着した状態で、親指保護用緩衝樹脂シート１３０の中心軸線が、指サック装着状態で装着者の親指１０の幅方向略中央部分に沿って延在するようになっているので、親指１０の爪１２の幅方向の中央部分に沿って彫刻刀５００の刃本体部５１０の背の部分５１１が対応して当たっていることを目視することで、この背の部分５１１が長さ方向全体に亘って１０の指腹１１のちょうど幅方向中央部分に沿って延在していることを容易に確認でき、彫刻刀５００の刃本体部５１０の背から受ける反力が親指用指サック１００に均等に作用していることが分かる。
【００４６】
また、彫刻刀５００によって木を彫る際に右手の中指２０の第一関節の側方部分にも彫刻刀５００の柄５５０から力がかかるので、鉛筆によるペンだこができるようにこの部分にもかなりの力がかかって彫刻作業をしばらく続けていると痛みが伴ってきて、これを繰り返すことによりこの部分が角質化してタコができたりするが、本考案に係る中指用リング状指サック２００を装着することで、このような苦痛を感じたり中指にタコが生じるのを防止することができる。
【００４７】
このように本考案に係る彫刻刀用の指保護具１を用いずに彫刻作業を行うと、ある程度の時間をかけ彫刻刀５００を使って掘っただけでも指先が痛くなってしまい、その後しばらく痛みが引くまで休むとなると、どうしても間隔をあけながら彫刻刀５００を使う作業を行なうようになってしまう。そのため、せっかく覚えた掘り方のコツや技量を十分に体得し続けることができず、指の痛みが治まった後に再度行うとコツや技量を再び取り戻すことに時間を要してしまう。その結果、作品の仕上がりが遅くなってしまう。
【００４８】
これと相まって、次に彫刻刀５００を使う場合においても、前回使った指先の痛みをどうしても思い出してしまう。このようにして、せっかく最初に綺麗な鎌倉彫を彫刻刀５００で造ろうと決めたモチベーションが、続けていくうちにどうしても下がってしまう。
【００４９】
特に高齢者で指先に力が入りにくかったり指先の器用さが多少失われたりした人たちにとってはこのような問題から受ける影響はかなり大きく、せっかくの手軽で気分転換になる趣味を楽しみ続けることができなくなってしまう。
【００５０】
しかしながら、本考案に係る彫刻刀用の指保護具１を用いることで、このような問題を一気に解決することができる。なお、上述の実施形態においては、親指用指サック１００と中指用リング状指サック２００の双方を装着した形態について説明したが、親指用指サック１００のみを親指１０に装着して彫刻作業を行っても本考案の効果を発揮できることは言うまでもない。
【００５１】
続いて、上述した親指用指サックの変形例について説明する。図１１は、図２に示した親指用指サック３００の変形例を示す側面図である。また、図１２は、図１１に示した親指用指サック３００をこの指サックの幅方向中程に沿って切断した断面図である。
【００５２】
この変形例に係る親指用指サック３００は、本実施形態の親指用指サック１００のように第１の指サック３１０の開口部側が折り返されて第２の指サック３２０の開口部の縁部及びその近傍に全周に亘って重ねられて互いに接着剤で密着した構成を有していない点のみが異なっている。なお、第１の指サック３１０と第２の指サック３２０とは、上述の実施形態と同様に親指保護用緩衝樹脂シート３３０をその間に挟んで適当な接着剤で接着されそれぞれがずれないように一体化している。
【００５３】
具体的には第１の指サック３１０の開口部３１１の縁部３１２及びその近傍が第２の指サック３２０の開口部３２１の縁部３２２より全周に亘って一定量だけ延出している。これによって、この延出した第１の指サック３１０の延出部３１３の厚みは上述した実施形態のような指サックの開口部の厚みの約半分程度になるので、その分弾性力に富んで引っ張り易くかつ捲くれ易くなる。これによって、この変形例に係る親指用指サック３００を親指に装着する際にこの部分を引っ張って確実に装着できると共に、この親指用指サック３００を親指１０から外す時にこの柔らかく弾性力に富んだ延出部３１３を他方の手の指で簡単に捲って親指１０の指先側に引っ張ることで親指用指サック３００を親指から容易に引き抜くことができる。
【００５４】
このような構成を有することで、例えば高齢者の中で指先を器用に動かすことができない人たちにとって非常に使い勝手の良い親指用指サックとすることができる。
【００５５】
なお、上述した実施形態は、あくまで本考案の一例を示すもので、本考案の範囲を逸脱しなければ上述のような寸法、材質、形状に本考案を限定する必要はなく、適宜設計変更を可能とすることは言うまでもない。即ち、上述の実施形態であげた親指用指サックと中指用リング状指サックの材質の各構成要素は、あくまで本考案を実施する上で好ましい材質を例示したものであるが、これと同等の作用を有する材質であれば親指用指サックと中指用リング状指サックの各構成要素に関してどのような材質を使用しても良いことを言うまでもない。同じく、これらの各構成要素に関する形状及び寸法についての同様のことが言える。
【００５６】
より具体的には、例えば、親指保護用緩衝樹脂シートの寸法及び材質は、彫刻刀の刃の背中の部分から親指の指腹に向かって局所的に受ける反力を十分に拡散して、親指の指腹全体にほぼ均等に受けるようにするような材質及び寸法であれば本考案の範囲に属するものである。中指保護用樹脂緩衝シートの寸法及び材質についても同様のことが言える。
【００５７】
例えば、親指用指サックの第１の指サックと第２の指サックはそれぞれ１枚だけのゴムの指サックでできていることに限定されず、それぞれが個別に２枚かそれ以上の厚さが薄い指サックを重ね合わせて構成されていても良い。同じく、中指用リング状指サックの第１のリング状輪っか部と第２のリング状輪っか部とは、それぞれが１枚だけのゴムのリング状輪っか部でできていることに限定されず、それぞれが個別に２枚がそれ以上の厚さが薄いリング状輪っか部を重ね合わせて構成されていても良い。
【００５８】
また、中指用リング状指サックは、ゴムでできた幅の広いリング状輪っか部の例えば幅方向中央部分において中指保護用緩衝樹脂シートを円周方向所定の範囲にくっ付け、その両側のリング状輪っか部を円周方向互い違いに折り返して中指保護用緩衝樹脂シートをゴムでできたリング状輪っか部の内側に収容するように作成しても良い。
【００５９】
また、上述したように本実施形態においては、右手を利き手として彫刻刀の柄を右手で握り左手の親指の指腹の部分（親指の爪と反対側で指紋の付いている部分）を彫刻刀の刃本体部の背の部分に押し付けながら例えば鎌倉彫等の原材料の木を掘り込んでいくときに使用する形態を前提として説明した。
【００６０】
しかしながら、本考案は、左手を利き手として彫刻刀の柄を左手で握り右手の親指の指腹の部分（親指の爪と反対側で指紋の付いている部分）を彫刻刀の刃本体部の背の部分に押し付けながら原材料の木を掘り込んでいくときに使用する形態についても本考案を適用可能なことは言うまでもないことを付言しておく。
【符号の説明】
【００６１】
１    彫刻刀の指保護具
１０    親指
１１    指腹
１２    爪
２０    中指
１００    親指用指サック
１０２    開口縁部
１１０    第１の指サック
１１３    折り返し部
１２０    第２の指サック
１２１    親指挿入用開口部
１２２    開口縁
１３０    親指保護用緩衝樹脂シート
２００    中指用リング状指サック
２１０    第１のリング状輪っか部
２２０    第２のリング状輪っか部
２３０    中指保護用緩衝樹脂シート
３００    親指用指サック
３１０    第１の指サック
３１１    開口部
３１２    縁部
３１３    延出部
３２０    第２の指サック
３２１    開口部
３２２    縁部
３３０    親指保護用緩衝樹脂シート
５００    彫刻刀
５１０    刃本体部
５１１    背の部分
５５０    柄
【図１】
0003220726.tif 000003
【図２】
0003220726.tif 000004
【図３】
0003220726.tif 000005
【図４】
0003220726.tif 000006
【図５】
0003220726.tif 000007
【図６】
0003220726.tif 000008
【図７】
0003220726.tif 000009
【図８】
0003220726.tif 000010
【図９】
0003220726.tif 000011
【図１０】
0003220726.tif 000012
【図１１】
0003220726.tif 000013
【図１２】
0003220726.tif 000014